(57)【特許請求の範囲】
【請求項１】
キャピラリー内に、複数本の偏波保持型光ファィバをとりまとめ、少なくとも端面においては各偏波保持型光ファイバの偏波方向が揃うように配列し、前記キャピラリー内に接着剤を充填してなる、光ファイババンドルにおいて、
前記光ファイバ同士の接着に硬化速度の遅い接着剤３０Ａが用いられ、
当該硬化速度の遅い接着剤３０Ａの用いられている部分と前記キャピラリーとの間の隙間に、密着性の高い接着剤３０Ｂが用いられていることを特徴とする、光ファイババンドル。
【請求項２】
硬化速度の遅い接着剤３０Ａは、キャピラリー２０内に挿入される光ファイバの、長さ方向の一部についてのみ、用いられていることを特徴とする、請求項１記載の光ファイババンドル。
【請求項３】
キャピラリー内において、複数本の偏波保持型光ファィバがとりまとめられ、少なくとも端面においては各偏波保持型光ファイバの偏波方向が揃うように配列され、前記キャピラリー内に接着剤が充填されている、光ファイババンドルを製造するに際して、
前記キャピラリー２０の外において、前記光ファイバ同士を硬化速度の遅い接着剤３０Ａで接着しておいて、各偏波保持型光ファイバの偏波方向を揃え、
その後、上記の偏波方向を揃えられた光ファイバが前記キャピラリー２０内に存在し、かつ当該キャピラリー２０と前記硬化速度の遅い接着剤３０Ａで固められている部分との間の隙間に、密着性の高い接着剤３０Ｂが存在する状態にすることを特徴とする、光ファイババンドルの製造方法。
【請求項４】
キャピラリー２０内に挿入される光ファイバが、長さ方向の一部についてのみ、硬化速度の遅い接着剤３０Ａにより互いに接着されることを特徴とする、請求項３記載の光ファイババンドルの製造方法。
【発明の詳細な説明】
【０００１】
【発明の属する技術分野】
この発明は、偏波保持型の光ファイババンドルとその製造方法に関するもので、これを利用する装置は、偏波を利用した光信号処理システムの部品として用いられる。
【０００２】
【従来の技術】
図２のように、キャピラリー（細管)２０内に、複数本の偏波保持型光ファィバをとりまとめ、少なくとも端面においては各偏波保持型光ファイバの偏波方向が揃うように配列し、キャピラリー２０内に接着剤３０を充填してなる、光ファイババンドルが提案されている。
【０００３】
なお、図３はバンドルの端面を模型的に示した拡大図で、１５はコア、１６はクラッド、１８は応力付与部である。
【０００４】
【発明が解決しようとする課題】
接着剤の特性として、硬化速度、密着性といった項目がある。
偏波保持光ファイバのバンドル化に使用するためには、硬化速度が遅く、密着性の高いものが望ましい。
その理由は、次のとおりである。
【０００５】
硬化速度が早いと、光ファイバの偏波軸の角度を揃える時間が不十分なまま接着硬化することとなり、偏波軸の角度を高精度に揃えることができない。
また、密着性が低いと、引張り強度が低下するといった問題が発生する。
【０００６】
硬化速度が遅く、かつ密着性が高い接着剤は、一般に入手し難い。
従来は、偏波軸の角度を精度良く揃えるために、硬化速度の遅い接着剤を用いていた。
しかし、この種の接着剤は、密着性も低い。そのため、製品における引張り強度が低かった。
【０００７】
【課題を解決するための手段】
請求項１記載の本発明は、図１に例示するように、
裸光ファイバ１４同士の接着に、硬化速度の遅い接着剤３０Ａを用い、
当該硬化速度の遅い接着剤３０Ａの用いられている部分とキャピラリー２０との間の隙間に、密着性の高い接着剤３０Ｂを用いること、
を特徴とする。
【０００８】
接着剤の硬化速度の早い遅いの一態様としては、例えば常温（加熱しない状態）において、かつ硬化促進用の光、ＵＶ等を照射しない状態についていう。
【０００９】
なお、請求項２に記載のように  キャピラリー２０内に挿入される裸ファイバ１４の、長さ方向の一部についてのみ、硬化速度の遅い接着剤３０Ａを用いると、
裸ファイバ１４のその他の部分には、密着性の高い接着剤３０Ｂが直接、接するため、引張り強さがより大になる。
【００１０】
また、請求項３の発明は製造方法に関し、
キャピラリー２０の外において、前記光ファイバ同士を硬化速度の遅い接着剤３０Ａで接着しておいて、各偏波保持型光ファイバの偏波方向を揃え、
その後、
上記の偏波方向の揃えられた光ファイバがキャピラリー２０内に存在し、
かつキャピラリー２０と前記硬化速度の遅い接着剤３０Ａとの間の隙間に、密着性の高い接着剤３０Ｂが存在する状態にすること、
を特徴とする。
【００１１】
上記記載のうち、「偏波方向の揃えられた光ファイバが前記キャピラリー２０内に存在し、かつ当該キャピラリー２０と前記硬化速度の遅い接着剤３０Ａとの間の隙間に、密着性の高い接着剤３０Ｂが存在する状態にする」には、
▲１▼キャピラリー２０内に密着性の高い接着剤３０Ｂを塗布又は充填しておいて、その中に、偏波方向が揃えられかつ硬化速度の遅い接着剤３０Ａで固められた光ファイバ群を挿入するか、あるいは
▲２▼キャピラリー２０内に光ファイバを先に挿入、後で密着性の高い接着剤３０Ｂを注射器等で充填する、
等の方法をとる。
【００１２】
裸ファイバ１４同士を硬化速度の遅い接着剤３０Ａで接着しておけば、各偏波保持型光ファイバの偏波方向を、時間をかけて、高精度に揃えることができる。
【００１３】
【発明の実施の形態】
［物自体］
複数本の偏波保持光ファイバ心線１０の端部において、数mm程度、被覆１２が除去され（図１）、口出しされた裸ファイバ１４が、偏波軸の揃った状態で、キャピラリー２０内に、挿入されている。
キャピラリー２０は、材質はホウ珪酸ガラスや石英等であり、紫外線硬化樹脂を用いる際に、紫外線を透過する材料とする。
【００１４】
キャピラリー２０にある裸ファイバ１４の先端から2/3程度の範囲が、硬化速度の遅い接着剤３０Ａにより、互いに接着された状態になっている。
この部分に用いる接着剤の密着性については、その値は問わない
硬化速度の遅い（通常、密着性が低い）接着剤として、ＦＣ０７０８（大日本インキ）、等を用いることができる。
【００１５】
キャピラリー２０内における、上記の硬化速度の遅い接着剤３０Ａで固められた裸ファイバ１４の部分以外の部分には、密着性の高い接着剤３０Ｂが充填されている。
なお、この部分の接着剤の硬化速度については、特に問わない
密着性の高い（通常硬化速度が早い）接着剤３０Ｂとして、Ｒ１１５９ＶＮ（ＪＳＲ）等を用いることができる。
【００１６】
［製法］
偏波保持型光ファイバ心線１０の端部の被覆１２を、5.5mm程度除去する。複数本の裸ファイバ１４を、丸く束ね、先端から約3mm程度の部分を、硬化速度の遅い接着剤３０Ａで互いに接着する（図１（ｂ））。
そうしておいて、各光ファイバ偏波軸を、端面観察により一定方向に揃える。
【００１７】
キャピラリー２０内に、密着性の高い接着剤３０Ｂを充填するか、又は内面に塗布しておき（図１（ｃ））、その中に、上記の硬化速度の遅い接着剤３０Ａで互いに接着した光ファイバを挿入し、接着剤を硬化させる。
【００１８】
その後、キャピラリー２０の先端を研磨する。
【００１９】
【実施例】
硬化速度の遅い接着剤３０Ａとして、ＦＣ０７０８（大日本インキ）を用いた。なおこれは、密着性が低い。
また密着性の高い接着剤３０Ｂとして、Ｒ１１５９ＶＮ（ＪＳＲ）を用いた。なおこれは、硬化速度が早い。
従来方式及び  本発明方式によるサンプルを製作し、引張り強度を測定した。
本発明方式は、図１の構造で、長さ5mmのキャピラリー２０内において、裸ファイバ１４の先端から3mmの部分を硬化速度の遅い接着剤３０Ａにより接着し、その他の部分には密着性の高い接着剤３０Ｂを充填した。
従来方式は、図２の構造で、硬化速度の遅い接着剤３０Ａだけを用いた。
【００２０】
なお、偏波保持型光ファイバは、いわゆるパンダ型で、ガラス系の光ファイバである。
【００２１】
接着剤としては、光硬化型のものが好適に用いられるかが、常温硬化型や１液型、２液型混合型であってもよい。また材質は、エポキシ系やアクリレート系を好適に用いることができる。
【００２２】
結果を下表に示す。
0003639119.tif 000002
【００２３】
本発明方式によるサンプルの引張り強度が大であることが分かる。
【００２４】
【発明の効果】
偏波軸の角度が高精度に揃っており、かつ引張り強度が大の光ファイババンドルを作製することができる。
【図面の簡単な説明】
【図１】本発明の説明図で、（ａ）は完成品を側面から見た状態、（ｂ）と（ｃ）は製造途中の状態を示す。
【図２】従来技術の説明図。
【図３】従来の光ファイババンドルの端面を拡大した説明図。
【符号の説明】
１０  偏波保持型光ファイバ心線
１２  被覆
１４  裸ファイバ
１５  コア
１６  クラッド
１８  応力付与部
２０  キャピラリー
３０Ａ  硬化速度の遅い接着剤
３０Ｂ  密着性の高い接着剤
【図１】
0003639119.tif 000003
【図２】
0003639119.tif 000004
【図３】
0003639119.tif 000005